(57)【要約】【課題】不必要な検知ゾーンを自由にカットしたり、もとに戻したりすることのできる簡単な構造の赤外線人体検知装置を実現する。【解決手段】赤外線検出素子に集光される全赤外線エネルギーの一部を遮断する遮蔽板を、赤外線検出素子と光学系との間に配置するようにした。この遮蔽板は、装置のケースに形成された溝状の開口部から装置内に挿入するようにし、この遮蔽板の終端が溝状の開口部を完全に塞ぐ状態で、装置側に支持されるようにした。【選択図】図１
2008256514.tif 000002
【特許請求の範囲】
【請求項１】
赤外線検出素子と、前記赤外線検出素子の視野角内に配置され、異なる方向からの赤外線エネルギーを前記赤外線検出素子へ集光する複数の光学系を備え、前記光学系を介して前記赤外線検出素子に集光される全赤外線エネルギーのうちの一部を遮断する遮蔽板を、前記赤外線検出素子と、前記光学系との間に配置することができる赤外線人体検知装置であって、前記遮蔽板は、装置のケースに形成された溝状の開口部から、装置内に挿入され、前記遮蔽板の終端が前記溝状の開口部を完全に塞ぐ状態で、装置側に支持されるものであり、前記遮蔽板の形は、赤外線人体検知装置の警戒範囲を制限するために、赤外線エネルギー遮断用として、予め設定された形状であることを特徴とする赤外線人体検知装置。
【発明の詳細な説明】
【技術分野】
【０００１】
本発明は、人体が発する赤外線エネルギーを検出し、その移動を高感度に検知する赤外線人体検知装置に関するものであり、複数の検知ゾーンで構成された警戒エリアのうち、不必要な検知ゾーンを自由にカットしたり、もとの検知範囲の状態に戻したりする技術に関するものである。
【背景技術】
【０００２】
従来のこの種の装置においては、異なる方向からの赤外線エネルギーを赤外線検出素子へ集光する光学系に、直接粘着シール等を貼り付けるなどの細工を施し、不必要な検知ゾーンをカットする方法が用いられていた。光学系として、複数の放物面反射鏡を組み合せた、いわゆるマルチパラボラミラーを用いた装置の場合は、不必要となった放物面反射鏡に、その反射鏡のサイズに合わせて切り取られた黒色のテープ（赤外線反射率の低いもの）を貼っていた。
【０００３】
この方法以外に、集光された赤外線エネルギ−の一部を、赤外線検出素子と光学系との間に配置した遮蔽板にて遮断し、この遮蔽板の取り付け方向、取り付け位置を任意に変更可能な構成とした方法が考え出されている（例えば、特許文献１参照。）。このほか、開閉自在なシャッターを用いる構成も考案されている（例えば、特許文献２参照。）。
【特許文献１】実用新案登録番号第２６０６３３１号公報
【特許文献２】実開昭６１−１２０８４号公報
【発明の開示】
【発明が解決しようとする課題】
【０００４】
遮蔽板の取り付け方向、取り付け位置を任意に変更可能な構成とした従来例では、赤外線エネルギーを遮断するテープ等を切り抜いて貼ったり、はがしたりする必要がなくなったが、装置のカバーを取り外す等、装置の開閉作業が必要であった。開閉自在なシャッターを用いる構成では、装置外部からシャッターを操作しようとすると、シャッター駆動部などの部品が必要となり、構造が複雑になるという問題があった。
【課題を解決するための手段】
【０００５】
赤外線検出素子に集光される全赤外線エネルギーの一部を遮断する遮蔽板を、赤外線検出素子と光学系との間に配置するようにした。この遮蔽板は、装置のケースに形成された溝状の開口部から装置内に挿入するようにし、この遮蔽板の終端が溝状の開口部を完全に塞ぐ状態で、装置側に支持されるようにした。
【発明の効果】
【０００６】
本発明の赤外線人体検知装置は、装置のケースに形成された溝状の開口部から、遮蔽板を、赤外線検出素子と光学系との間に挿入するだけでよいので、装置の開閉作業が不要となった。あらかじめ装備された開閉自在なシャッター等を操作するだけ、といった限定的な方式ではないので、装備されたシャッター等のしゃ光パターンに限定されることがない。遮断しようとする赤外線エネルギーの通過位置に合わせた、種々の形状の遮蔽板を、後から追加したり差し替えたりすることができる。
【０００７】
遮蔽板は、赤外線検出素子と光学系との間に挿入され、カバーに近接したり、カバーに密着したりしないので、赤外線人体検知装置の外部から、その有無が確認できない。このため、複数の検知ゾーンで構成された警戒エリアのうち、どの検知ゾーンがカットされているのか、あるいは、どの検知ゾーンもカットされていないのかは、推測不可能であり、セキュリティ上好ましい。
【発明を実施するための最良の形態】
【０００８】
図１は、本発明の赤外線人体検知装置の主要構成部品の概略を示した説明図である。円盤状のシャーシ２に、赤外線検出素子４を実装したプリント基板５と、反射鏡３とが固定されている。このシャーシ２にドーム状のカバー６が取り付けられ、赤外線人体検知装置本体が形成される。シャーシ２には、遮蔽板を通すための長穴７が設けられており、遮蔽板１が、赤外線人体検知装置の外側から破線に示す位置まで差し込まれ、固定される。反射鏡３は複数の放物面鏡を含み、異なる方向からの赤外線エネルギ−が赤外線検出素子４に集められるようになっている。カバー６は、ポリエチレンなどの、人体が発する赤外線エネルギーを透過しやすい材料で形成されており、半透明となるように処理され、外から装置の中身が見えないようにしてある。
【０００９】
図２は、本発明の赤外線人体検知装置のシャーシ２側より見た外観斜視図である。図１と同じ構成部品には、同じ番号を付してある。遮蔽板１は、中央部にコの字型状の開口部を備えた厚さ１ミリメートル程の板であり、赤外線エネルギーを透過させない材料でできている。この遮蔽板１が、シャーシ２に設けられた遮蔽板を通すための長穴７から、図中の矢印の方向に差し込まれ、遮蔽板１の上辺が長穴７を完全に塞ぐ状態で固定される。
【００１０】
図３は、本発明の赤外線人体検知装置のカバー６を外し、シャーシ２を下にした状態の外観斜視図である。図１と同じ構成部品には、同じ番号を付してある。シャーシ２には、プリント基板５と、反射鏡３とが固定され、その間に遮蔽板１が挿入されている。反射鏡３は、７つの放物面鏡を２段配置した構成であり、扇形に広がる７本の検知ゾーンが、上下２層となって、立体警戒の検知エリアを形成する。図３の状態では、図２に示すものと同じ形状の遮蔽板が挿入されているので、扇形に広がる７本の検知ゾーンのうち、左右２−本ずつの合計４本の検知ゾーンが消去されている。８は、赤外線検出素子４を実装したプリント基板５から送られてきた信号を処理する回路部品や、入出力部、動作表示灯等を実装したプリント基板である。
【００１１】
シャーシ２にドーム状のカバー６が取り付けられ、赤外線人体検知装置本体が形成され、シャーシ２側が、天井にあらかじめ取り付けられたベース（図示省略）に固定される。
遮蔽板１は、ベースから取り外された赤外線人体検知装置本体の、シャーシ２側から必要に応じて抜き差しする事ができる。このため、赤外線人体検知装置本体からカバー６を取り外す必要が無く、検知エリアの変更作業が簡単に完了することになる。遮蔽板１が挿入されていない状態のとき、シャーシ２に長穴７が開くが、１ミリメートル幅程度の溝状のものであるので、銘板用のラベル等のシールにより容易に隠すことができ、密閉性は保持することができる。
【００１２】
以上の説明は、扇形に広がる７本の検知ゾーンのうち、左右２本ずつの検知ゾーンを消去する方法に関してのものであるが、コの字型状の開口部の大きさの異なるものを用いれば、消去する検知ゾーンの数は変更設定可能である。開口部の大きさの変更だけでなく、遮蔽板全体の形を変えることにより、いろいろな検知エリアの変更パターンが実現される。
【００１３】
図４は、赤外線人体検知装置の主要構成部品の概略図に検知エリアを追記した図であり、検知エリアの変更の様子を説明したものである。図１と同じ構成部品には、同じ番号を付し、カバー６の記載は省略してある。反射鏡３は、５つの放物面鏡から構成されており、扇形に広がる５本の検知ゾーンが層となって、立体警戒の検知エリアを形成している。コの字型の遮蔽板１が、シャーシ２に設けられた遮蔽板を通すための長穴７から、図中の矢印の方向に差し込まれ、遮蔽板１の上辺が長穴７を完全に塞ぐ状態で固定される。遮蔽板１が固定された後には、扇形に広がる５本の検知ゾーンのうち、破線で示した左右１本ずつの２本の検知ゾーンが消去される様子を示している。
【００１４】
図５は、遮蔽板１の形を変えて、遮蔽部と透過部の位置関係を、図４に示す遮蔽板に対し逆転した場合の説明図である。遮蔽板１は、中央部に遮蔽部を残したＴ字形の厚さ１ミリメートル程の板であり、赤外線エネルギーを透過させない材料でできている。この遮蔽板１が、シャーシ２に設けられた遮蔽板を通すための長穴７から、図中の矢印の方向に差し込まれ、遮蔽板１の上辺が長穴７を完全に塞ぐ状態で固定される。遮蔽板１が固定された後には、扇形に広がる５本の検知ゾーンのうち、破線で示した中央の３本の検知ゾーンが消去される様子を示している。
【００１５】
図６は、遮蔽板１の形を変えて、遮蔽板の下方を約半分カットし、横長の長方形の遮蔽板を使用した場合の説明図である。遮蔽板１は、横長の長方形の厚さ１ミリメートル程の板であり、赤外線エネルギーを透過させない材料でできている。この遮蔽板１が、シャーシ２に設けられた遮蔽板を通すための長穴７から、図中の矢印の方向に差し込まれ、遮蔽板１の上辺が長穴７を完全に塞ぐ状態で固定される。遮蔽板１が固定された後には、扇形に広がる５本の検知ゾーンは、消去されずにそのまま残るが、その感度が減少している様子を示している。遮蔽板１により、反射鏡３により集光される赤外線エネルギーの一部分が遮蔽されることになり、遮蔽される赤外線量が、遮蔽板挿入前の５０パーセントとなる場合には、５本の検知ゾーンの感度は、それぞれ約半分に制限されることになる。この遮蔽板の高さ方向の長さを加減することにより、これらの検知ゾーンの感度は適切な値に設定することができる。
【００１６】
このように、遮蔽板の形を変更することにより、検知エリアを構成する検知ゾーンそれぞれについて、完全に消去したり、一部分を遮蔽することができ、検知エリアの形と、その感度を自在に変更することができる。
反射鏡の形の異なるタイプの赤外線人体検知装置においても、以上の説明のように、それぞれ消去あるいは感度減少という目的に合致した形状の遮蔽板を採用すれば、目的にかなった検知エリアの変更、感度変更が実現される。
【図面の簡単な説明】
【００１７】
【図１】本発明の赤外線人体検知装置の主要構成部品の概略を示した説明図である。
【図２】本発明の赤外線人体検知装置のシャーシ２側より見た外観斜視図である。
【図３】本発明の赤外線人体検知装置のカバー６を外し、シャーシ２を下にした状態の外観斜視図である。
【図４】赤外線人体検知装置の主要構成部品の概略図に検知エリアを追記した図であり、検知エリアの変更の様子を説明したものである。
【図５】形状の異なる遮蔽板を使用した場合の、検知エリアの変更の様子を説明した図である。
【図６】形状の異なる遮蔽板を使用した場合の、検知エリアの感度変更の様子を説明した図である。
【符号の説明】
【００１８】
１・・・遮蔽板
２・・・シャーシ
３・・・反射鏡
４・・・赤外線検出素子
５・・・プリント基板
６・・・カバー
７・・・長穴
８・・・プリント基板
【図１】
2008256514.tif 000003
【図２】
2008256514.tif 000004
【図３】
2008256514.tif 000005
【図４】
2008256514.tif 000006
【図５】
2008256514.tif 000007
【図６】
2008256514.tif 000008